(57)【要約】【課題】検索コンテンツへのアクセスによる情報収集の効率を向上させ得るシステムを提供する。【課題を解決するための手段】本発明のコンテンツ管理システムによれば、第１処理ユニット１１１が検索システム（第１システム）との通信に基づきコンテンツのリストへの「掲載状態」を認識する。また、第２処理ユニット１１２がウェブサーバ（第２システム）との通信に基づきコンテンツの「リンク状態」を認識する。さらに、第１画像制御ユニット１２１が、コンテンツの「掲載状態」が当該コンテンツを表す第１アイコンの表示形態に反映された画像をディスプレー１１に表示させる。また、第２画像制御ユニット１２２が、コンテンツの「リンク状態」が当該コンテンツを表す第１アイコン及びそのリンクを表す第２アイコンのうち一方又は両方の表示形態に反映された画像をディスプレー１１に表示させる。【選択図】  図１
2005293253.tif 000002
【特許請求の範囲】
【請求項１】
ネットワークに閲覧可能に置かれているコンテンツを管理するシステムであって、
ユーザにより入力された検索キーワードに応じたコンテンツを検索する機能と、該検索コンテンツのリストを画像表示装置に表示させる機能とを備えた第１システムとの通信に基づき、コンテンツの該リストへの掲載状態を認識する第１処理手段と、
コンテンツが管理されている第２システムとの通信に基づき、コンテンツと他のコンテンツとのリンク状態を認識する第２処理手段と、
第１処理手段により認識されたコンテンツの該リストへの掲載状態が該コンテンツを表す第１アイコンの表示形態に反映された画像を該画像表示装置に表示させる第１画像制御手段と、
第２処理手段により認識されたコンテンツのリンク状態が該コンテンツを表す第１アイコン及び該コンテンツのリンクを表す第２アイコンのうち一方又は両方の表示形態に反映されている画像を該画像表示装置に表示させる第２画像制御手段とを備えていることを特徴とするコンテンツ管理システム。
【請求項２】
第２システムとの通信に基づき、コンテンツの階位を認識する第３処理手段と、
第３処理手段により認識されたコンテンツの階位が該コンテンツを表す第１アイコンの仮想空間における位置に反映されている画像を前記画像表示装置に表示させる第３画像制御手段とを備えていることを特徴とする請求項１記載のコンテンツ管理システム。
【請求項３】
第３処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする請求項２記載のコンテンツ管理システム。
【請求項４】
第３処理手段が、階層認識の過程でコンテンツがディレクトリの代表コンテンツであることを認識し、
第３画像制御手段が、第３処理手段により認識された代表コンテンツであることが該代表コンテンツを表す第１アイコン及びこれに対応付けられている第２アイコンのうち一方又は両方の表示形態に反映された画像を、前記画像表示装置に表示させることを特徴とする請求項２又は３記載のコンテンツ管理システム。
【請求項５】
前記画像表示装置におけるコンテンツの表示の有無を認識する第４処理手段と、第４処理手段により認識されたコンテンツの表示の有無が該コンテンツを表す第１アイコンの表示形態に反映されている画像を該画像表示装置に表示させる第４画像制御手段とを備えていることを特徴とする請求項１、２、３又は４記載のコンテンツ管理システム。
【請求項６】
コンテンツへのアクセス履歴を特定するアクセスログ情報が管理されている第３システムとの通信に基づき、コンテンツへのアクセス履歴を認識する第５処理手段と、
第５処理手段により認識されたコンテンツへのアクセス履歴を、該コンテンツを表す第１アイコン及び該コンテンツのリンクを表す第２アイコンのうち一方又は両方の表示形態に反映された画像を前記画像表示装置に表示させる第５画像制御手段とを備えていることを特徴とする請求項１、２、３、４又は５記載のコンテンツ管理システム。
【請求項７】
コンテンツの種類を認識する第６処理手段と、
前記画像制御手段が、第６処理手段により認識されたコンテンツの種類が該コンテンツを表す第１アイコンの表示形態に反映されている画像を前記画像表示装置に表示させる第６画像制御手段とを備えていることを特徴とする請求項１、２、３、４、５又は６記載のコンテンツ管理システム。
【請求項８】
前記画像表示装置により表示されている第１アイコンの第１指定操作を可能とする第１指定用手段との通信に基づき、該第１指定操作を通じて指定された第１アイコンを認識するとともに、指定された第１アイコンに対応するコンテンツが他のコンテンツから視覚的に識別可能とされた前記リストを該画像表示装置に表示させる第１補助処理手段を備えていることを特徴とする請求項１、２、３、４、５、６又は７記載のコンテンツ管理システム。
【請求項９】
前記画像表示装置に表示された第１アイコンの第２指定操作を可能とする第２指定用手段との通信に基づき、該第２指定操作を通じて指定された第１アイコンを認識するとともに、該第１アイコンにより表されているコンテンツを該画像表示装置に表示させる第２補助処理手段を備えていることを特徴とする請求項１、２、３、４、５、６、７又は８記載のコンテンツ管理システム。
【請求項１０】
前記リストに掲載されているコンテンツの指定操作を可能とする指定用手段との通信に基づき、該指定操作を通じて指定されたコンテンツを認識するとともに、指定されたコンテンツに対応する第１アイコンの表示形態が他の第１アイコンの表示形態から識別可能とされている画像を該画像表示装置に表示させる補助処理手段を備えていることを特徴とする請求項１、２、３、４、５、６、７、８又は９記載のコンテンツ管理システム。
【請求項１１】
ネットワークに閲覧可能に置かれているコンテンツを管理する機能をコンピュータに付与するプログラムであって、
ユーザにより入力された検索キーワードに応じたコンテンツを検索する機能と、該検索コンテンツのリストを画像表示装置に表示させる機能とを備えた第１システムとの通信に基づき、コンテンツの該リストへの掲載状態を認識する第１処理機能と、
コンテンツが管理されている第２システムとの通信に基づき、コンテンツと他のコンテンツとのリンク状態を認識する第２処理機能と、
第１処理機能により認識されたコンテンツの該リストへの掲載状態が該コンテンツを表す第１アイコンの表示形態に反映された画像を該画像表示装置に表示させる第１画像制御機能と、
第２処理機能により認識されたコンテンツのリンク状態が該コンテンツを表す第１アイコン及び該コンテンツのリンクを表す第２アイコンのうち一方又は両方の表示形態に反映されている画像を該画像表示装置に表示させる第２画像制御機能とをインストール先のコンピュータに付与することを特徴とするコンテンツ管理プログラム。
【発明の詳細な説明】
【技術分野】
【０００１】
本発明は、ネットワークに閲覧可能に置かれているコンテンツを管理するシステムに関する。また、本発明は、ネットワークに閲覧可能に置かれているコンテンツを管理する機能を検索サーバに付与するプログラムに関する。
【背景技術】
【０００２】
インターネット上に置かれたウェブページ等のコンテンツのうち、真に有用なコンテンツを検索することはユーザにとって重要な関心事項である。そこで、従来、ユーザによって入力された検索キーワードに従ってウェブページを検索する手法が提案されている（例えば、特許文献１参照）。
【０００３】
一般的には、検索サーバにおいてサイトのトップページ等に掲載されているウェブ検索欄に検索キーワードが入力された上で、検索開始ボタンがクリック等されることにより、そのキーワードを含むインターネット上のコンテンツが検索される。また、検索コンテンツのそれぞれの名称や概要等が列挙された検索結果ページが表示される。そして、ユーザは検索結果ページ中のコンテンツの名称をクリック等することで、検索サーバにそのコンテンツを表示させることができる。また、ユーザは「戻る」ボタンをクリックする等の操作により検索結果ページに戻った上で、新たにコンテンツを表示させることができる（例えば、非特許文献１参照）。
【特許文献１】特表２００１−５２１２２４号公報
【非特許文献１】超図解  わかりやすいインターネット入門  エクスメディア著  ７７、７９、８８頁
【発明の開示】
【発明が解決しようとする課題】
【０００４】
しかし、単にコンテンツの名称等にキーワードが含まれているからといっても、検索されたコンテンツが全てユーザにとって有用であるとは一概にいえない。すなわち、検索コンテンツには、ユーザにとって真に有用なコンテンツもあれば、不要なコンテンツもあって、まさに玉石混交であるといえる。これでは、ユーザは、関連のありそうなコンテンツに順次アクセスすることで、情報を体系的に入手することが極めて困難である。また、ユーザは、不要と思われる一連のコンテンツへのアクセスを省略することが極めて困難である。このため、検索コンテンツへのアクセスによる情報収集の効率が非常に悪い。
【０００５】
そこで、本発明は、検索コンテンツへのアクセスによる情報収集の効率を向上させ得るシステム及びプログラムを提供することを解決課題とする。
【課題を解決するための手段】
【０００６】
前記課題を解決するための本発明のコンテンツ管理システムは、ユーザにより入力された検索キーワードに応じたコンテンツを検索する機能と、該検索コンテンツのリストを画像表示装置に表示させる機能とを備えた第１システムとの通信に基づき、コンテンツが管理されている第２システムとの通信に基づき、コンテンツの該リストへの掲載状態を認識する第１処理手段と、コンテンツと他のコンテンツとのリンク状態を認識する第２処理手段と、第１処理手段により認識されたコンテンツの該リストへの掲載状態が該コンテンツを表す第１アイコンの表示形態に反映された画像を該画像表示装置に表示させる第１画像制御手段と、第２処理手段により認識されたコンテンツのリンク状態が該コンテンツを表す第１アイコン及び該コンテンツのリンクを表す第２アイコンのうち一方又は両方の表示形態に反映されている画像を該画像表示装置に表示させる第２画像制御手段とを備えていることを特徴とする。
【０００７】
本発明のコンテンツ管理システムによれば、第１処理手段が第１システムとの通信に基づき、画像表示装置に表示されているリストへのコンテンツの「掲載状態」を認識する。また、第２処理手段が第２システムとの通信に基づき、コンテンツの「リンク状態」を認識する。さらに、第１画像制御手段が、コンテンツの「掲載状態」が当該コンテンツを表す第１アイコンの表示形態に反映された画像を画像表示装置に表示させる。また、第２画像制御手段が、コンテンツの「リンク状態」が当該コンテンツを表す第１アイコン及び該コンテンツのリンクを表す第２アイコンのうち一方又は両方の表示形態に反映された画像を画像表示装置に表示させる。
【０００８】
コンテンツを表す第１アイコンの表示形態を通じて、第１システムによる検索コンテンツのリストへのコンテンツの「掲載状態」をユーザに視覚的に把握させることができる。コンテンツの「掲載状態」は当該コンテンツのリストへの掲載及び非掲載の別、掲載順位、掲載可能性の有無、掲載履歴の有無等により表される。また、第１アイコン及び該コンテンツのリンクを表す第２アイコンのうち一方又は両方の表示形態を通じて、コンテンツの「リンク状態」をユーザに視覚的に把握させることができる。コンテンツの「リンク状態」は当該コンテンツと他のコンテンツとのリンクやリンク経路の有無、リンク数等により表される。
【０００９】
リンクされているコンテンツは政治、経済、文化等の共通分野に関するものである等、コンテンツのリンク状態及び情報には一定の関係が認められる可能性が高い。従って、ユーザは、コンテンツのリストへの「掲載状態」及び「リンク状態」に基づき、例えば、リストへの掲載コンテンツにそのリンクを経由して順次アクセスすることで、情報を体系的に入手することができる。また、ユーザは、リストに掲載され、且つ、リンクされている一連の無用なコンテンツへのアクセスを省略することができる。これにより、コンテンツからの情報収集の効率が著しく向上され得る。
【００１０】
なお、画像の「表示形態」とは、画像のデザイン（＝形状、色彩若しくは模様、又はこれらの組合せ）、画像の有無、画像の点滅等を意味している。また「デザイン」は静的なもののみならず、時間的に変化する動的なものも含まれる。複数の項目が共通のアイコンの表示形態に反映される場合、表示形態は項目ごと識別可能とされる。
【００１１】
本発明の構成要素であるＸが、Ｙとの通信に基づきＺを認識するとは、ＸがＹからＺを特定するデータを受信することや、ＸがＹからの受信データに基づきＺを決定、推定、測定したり、Ｙからの受信データに基づきデータベース等からＺを検索すること等を意味する。第１システム及び第２システムは本発明のコンテンツ管理システムとは別個のものであってもよく、本発明のコンテンツ管理システムに包含されていてもよい。
【００１２】
また、Ｘ及びＹがともに同一の検索サーバ等の装置の構成要素である場合、Ｘ及びＹの通信はこの装置内での通信を意味する。その一方、Ｘ及びＹがインターネット等のネットワークを介して通信可能に接続された別個の装置の構成要素である場合、Ｘ及びＹの通信とは、Ｘを構成要素とする装置と、Ｙを構成要素とする装置との当該ネットワークを介した通信を意味する。
【００１３】
さらに、本発明の構成要素であるＶが画像を画像表示装置に表示させるとは、Ｖが、Ｖを構成要素とする検索サーバ等の装置が有する画像表示装置に画像を表示させることや、Ｖが、画像データ、さらには必要に応じて画像表示用プログラムを、Ｖを構成要素とする装置とは別の装置にネットワークを介して送信し、当該別の装置が有する画像表示装置に画像を表示させること等を意味する。
【００１４】
また、本発明のコンテンツ管理システムは、第２システムとの通信に基づき、コンテンツの階位を認識する第３処理手段と、第３処理手段により認識されたコンテンツの階位が該コンテンツを表す第１アイコンの仮想空間における位置に反映されている画像を前記画像表示装置に表示させる第３画像制御手段とを備えていることを特徴とする。
【００１５】
本発明のコンテンツ管理システムによれば、コンテンツを表す第１アイコンの位置を通じて、コンテンツの「階位」をユーザに視覚的に把握させることができる。第１アイコンの「位置」には、２次元及び３次元の仮想空間における位置が含まれる。
【００１６】
下位コンテンツからの情報は上位コンテンツからの情報よりも詳細であるとか、同位コンテンツからの情報はバリエーションとして同等である等、コンテンツの階位及び情報には一定の関係が認められる可能性が高い。従って、ユーザは、コンテンツのリストへの「掲載状態」、「リンク状態」及び「階位」に基づき、例えば、リストへの掲載コンテンツに、その階位を考慮した上でそのリンクを経由して順次アクセスすることで、情報を体系的に入手することができる。これにより、コンテンツからの情報収集の効率が著しく向上され得る。
【００１７】
さらに、本発明のコンテンツ管理システムは、第３処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする。
【００１８】
本発明によれば、ディレクトリの階位、代表コンテンツ及び非代表コンテンツの別に応じて、コンテンツの階位が認識される。従って、ユーザは、ディレクトリの階位等に応じたコンテンツの「階位」に基づき、例えば、リストへの掲載コンテンツに、その階位を考慮した上でそのリンクを経由して順次アクセスすることで、情報を体系的に入手することができる。これにより、コンテンツからの情報収集の効率が著しく向上され得る。
【００１９】
また、本発明のコンテンツ管理システムは、第３処理手段が、階層認識の過程でコンテンツがディレクトリの代表コンテンツであることを認識し、第３画像制御手段が、第３処理手段により認識された代表コンテンツであることが、該代表コンテンツを表す第１アイコン及びこれに対応付けられている第２アイコンのうち一方又は両方の表示形態に反映された画像を、前記画像表示装置に表示させることを特徴とする。
【００２０】
本発明のコンテンツ管理システムによれば、コンテンツを表す第１アイコン及びこれに対応付けられている第２アイコンのうち一方又は両方の表示形態を通じて、代表コンテンツ及び非代表コンテンツの別をユーザに視覚的に把握させることができる。
【００２１】
代表コンテンツから非代表コンテンツにアクセスすることで、代表コンテンツからの情報はバリエーションとして同等である等、代表コンテンツ及び非代表の別及び情報には一定の関係が認められる可能性が高い。従って、ユーザは、コンテンツのリンク状態等のほか「代表及び非代表コンテンツの別」に基づき、リストに掲載されているコンテンツに順次アクセスすることで、情報を体系的に入手することができる。これにより、コンテンツからの情報収集の効率が著しく向上され得る。
【００２２】
さらに、本発明のコンテンツ管理システムは、前記画像表示装置におけるコンテンツの表示の有無を認識する第４処理手段と、第４処理手段により認識されたコンテンツの表示の有無が該コンテンツを表す第１アイコンの表示形態に反映されている画像を該画像表示装置に表示させる第４画像制御手段とを備えていることを特徴とする。
【００２３】
本発明のコンテンツ管理システムによれば、第１アイコンの表示形態を通じて、当該第１アイコンにより表されるコンテンツが画像表示装置に表示されているか否かをユーザに視覚的に把握させることができる。
【００２４】
また、本発明のコンテンツ管理システムは、コンテンツへのアクセス履歴を特定するアクセスログ情報が管理されている第３システムとの通信に基づき、コンテンツへのアクセス履歴を認識する第５処理手段と、第５処理手段により認識されたコンテンツへのアクセス履歴を、該コンテンツを表す第１アイコン及び該コンテンツのリンクを表す第２アイコンのうち一方又は両方の表示形態に反映された画像を前記画像表示装置に表示させる第５画像制御手段とを備えていることを特徴とする。
【００２５】
本発明のコンテンツ管理システムによれば、コンテンツを表す第１アイコン及びこれに対応付けられている第２アイコンのうち一方又は両方の表示形態を通じて、当該コンテンツの「アクセス履歴」をユーザに視覚的に把握させることができる。「アクセス履歴」には、アクセス回数やアクセス時間により表されるアクセス頻度等が含まれている。
【００２６】
アクセス頻度が高いコンテンツには有用な情報が含まれている等、コンテンツのアクセス履歴及び情報に一定の関係が認められる可能性が高い。従って、ユーザはコンテンツのリンク状態のほか「アクセス履歴」に基づき、リストに掲載されているコンテンツにそのリンクを経由して順次アクセスすることで、有用な情報を体系的に取得すること等ができる。これにより、コンテンツからの情報収集の効率が著しく向上され得る。
【００２７】
さらに、本発明のコンテンツ管理システムは、コンテンツの種類を認識する第６処理手段と、第６処理手段により認識されたコンテンツの種類が該コンテンツを表す第１アイコンの表示形態に反映されている画像を前記画像表示装置に表示させる第６画像制御手段とを備えていることを特徴とする。
【００２８】
本発明のコンテンツ管理システムによれば、コンテンツを表す第１アイコンの表示形態を通じて、当該コンテンツの種類をユーザに視覚的に把握させることができる。これにより、有用なコンテンツへのユーザによるアクセスが容易となり、情報収集の効率が向上され得る。
【００２９】
また、本発明のコンテンツ管理システムは、前記画像表示装置により表示されている第１アイコンの第１指定操作を可能とする第１指定用手段との通信に基づき、該第１指定操作を通じて指定された第１アイコンを認識するとともに、指定された第１アイコンに対応するコンテンツが他のコンテンツから視覚的に識別可能とされた前記リストを該画像表示装置に表示させる第１補助処理手段を備えていることを特徴とする。
【００３０】
本発明のコンテンツ管理システムによれば、ユーザは、第１指定用手段を通じて第１アイコンの第１指定操作を行うことで、画像表示装置に表示されているリストにおいてこの第１アイコンに対応するコンテンツがどれであるかを容易に把握することができる。
【００３１】
さらに、本発明のコンテンツ管理システムは、前記画像表示装置に表示された第１アイコンの第２指定操作を可能とする第２指定用手段との通信に基づき、該第２指定操作を通じて指定された第１アイコンを認識するとともに、該第１アイコンにより表されているコンテンツを該画像表示装置に表示させる第２補助処理手段を備えていることを特徴とする。
【００３２】
本発明のコンテンツ管理システムによれば、ユーザは、第２指定用手段を通じて第１アイコンの第２指定操作を行うことで、この第１アイコンに対応するコンテンツを画像表示装置に表示させることができる。
【００３３】
また、本発明のコンテンツ管理システムは、前記リストに掲載されているコンテンツの指定操作を可能とする指定用手段との通信に基づき、該指定操作を通じて指定されたコンテンツを認識するとともに、指定されたコンテンツに対応する第１アイコンの表示形態が他の第１アイコンの表示形態から識別可能とされている画像を該画像表示装置に表示させる補助処理手段を備えていることを特徴とする。
【００３４】
本発明のコンテンツ管理システムによれば、ユーザは、指定用手段を通じてリストに掲載されているコンテンツの指定操作を行うことで、このコンテンツに対応する第１アイコンがどれであるかを容易に把握することができる。
【００３５】
前記課題を解決するための本発明のコンテンツ管理プログラムは、ユーザにより入力された検索キーワードに応じたコンテンツを検索する機能と、該検索コンテンツのリストを画像表示装置に表示させる機能とを備えた第１システムとの通信に基づき、コンテンツの該リストへの掲載状態を認識する第１処理機能と、コンテンツが管理されている第２システムとの通信に基づき、コンテンツと他のコンテンツとのリンク状態を認識する第２処理機能と、第１処理機能により認識されたコンテンツの該リストへの掲載状態が該コンテンツを表す第１アイコンの表示形態に反映された画像を該画像表示装置に表示させる第１画像制御機能と、第２処理機能により認識されたコンテンツのリンク状態が該コンテンツを表す第１アイコン及び該コンテンツのリンクを表す第２アイコンのうち一方又は両方の表示形態に反映されている画像を該画像表示装置に表示させる第２画像制御機能とをインストール先の検索サーバに付与することを特徴とする。
【００３６】
本発明のコンテンツ管理プログラムによれば、前記コンテンツ管理システムと同様、ユーザは、コンテンツのリストへの「掲載状態」及び「リンク状態」に基づき、例えば、リストへの掲載コンテンツにそのリンクを経由して順次アクセスすることで、情報を体系的に入手することができる。また、ユーザは、リストに掲載され、且つ、リンクされている一連の無用なコンテンツへのアクセスを省略することができる。これにより、コンテンツからの情報収集の効率が著しく向上され得る。
【発明を実施するための最良の形態】
【００３７】
本発明のコンテンツ管理システム及びサイト管理プログラムの実施形態について図面を用いて説明する。
【００３８】
図１は本発明の一実施形態におけるコンテンツ管理システムの構成説明図であり、図２〜図５は本発明の一実施形態におけるコンテンツ管理システムの機能説明図である。
【００３９】
まず、本発明の一実施形態におけるコンテンツ管理システムの構成について、図１を用いて説明する。
【００４０】
図１に示すコンテンツ管理システムは、インターネットに接続され、コンテンツ管理サーバ（以下、単に「サーバ」という。）１００により構成されている。インターネットには、ウェブページ等のコンテンツを検索する機能等を有する検索サーバ（第１システム）２１０と、コンテンツを管理するウェブサーバ（第２システム）２２０と、コンテンツの閲覧機能等を有する情報処理端末３００とが接続されている。
【００４１】
サーバ１００は、第１処理ユニット１１１と、第２処理ユニット１１２と、第３処理ユニット１１３と、第４処理ユニット１１４と、第１画像制御ユニット１２１と、第２画像制御ユニット１２２と、第３画像制御ユニット１２３と、第４画像制御ユニット１２４と、第１補助処理ユニット１３１と、第２補助処理ユニット１３２とを備えている。
【００４２】
コンテンツ管理システムを構成する各ユニットの機能は、サーバ１００により格納されているコンテンツ管理プログラムから付与されたものである。また、各ユニットは、ハードウェアとしてのＣＰＵ、ＲＯＭ、ＲＡＭ、その他の回路等により構成されている。
【００４３】
第１処理ユニット１１１は、検索サーバ（第１システム）２１０との通信に基づき、情報処理端末３００のディスプレー３０１に表示されるリストにおけるコンテンツの「掲載状態」を認識する。
【００４４】
第２処理ユニット１１２は、ウェブサーバ（第２システム）２２０との通信に基づき、コンテンツ間の「リンク状態」を認識する。
【００４５】
第３処理ユニット１１３は、ウェブサーバ２２０との通信に基づき、コンテンツの「階位」を認識する。また、第３処理ユニット１１３は、コンテンツがディレクトリの代表コンテンツであるか、非代表コンテンツであるかの別を認識する。
【００４６】
第４処理ユニット１１４は、検索サーバ２１０との通信に基づき、ユーザの情報処理端末３００のディスプレー３０１におけるコンテンツの表示の有無を認識する。
【００４７】
第１画像制御ユニット１２１は、第１処理ユニット１１１により認識されたリストにおけるコンテンツの掲載状態が、このコンテンツを表す第１アイコンの表示形態に反映された画像を情報処理端末３００のディスプレー３０１に表示させる。
【００４８】
第２画像制御ユニット１２２は、第２処理ユニット１１２により認識されたコンテンツのリンク状態が、このコンテンツを表す第１アイコン及びそのリンクを表す第２アイコンのうち一方又は両方の表示形態に反映されている画像を情報処理端末３００のディスプレー３０１に表示させる。
【００４９】
第３画像制御ユニット１２３は、第３処理ユニット１１３により認識されたコンテンツの階位が、このコンテンツを表す第１アイコンの仮想空間における位置に反映されている画像をディスプレー３０１に表示させる。また、第３画像制御ユニット１２３は、第３処理ユニット１１３により認識された代表コンテンツであることが、この代表コンテンツを表す第１アイコン及びこれに対応付けられている第２アイコンのうち一方又は両方の表示形態に反映された画像を情報処理端末３００のディスプレー３０１に表示させる。
【００５０】
第４画像制御ユニット１２４は、第４処理ユニット１１４により認識されたコンテンツの表示の有無がこのコンテンツを表す第１アイコンの表示形態に反映されている画像を情報処理端末３００のディスプレー３０１に表示させる。
【００５１】
第１補助処理ユニット１３１は、情報処理端末（第１指定用手段）３００との通信に基づき、マウス３０２によるマウスポインタの位置合わせ（第１指定操作）を通じて指定された第１アイコンを認識する。その上で、第１補助処理ユニット１３１は、リストにおいてこの第１アイコンに対応するコンテンツを他のコンテンツから識別可能として当該情報処理端末３００のディスプレー３０１に表示させる。
【００５２】
第２補助処理ユニット１３２は、情報処理端末（第２指定用手段）３００との通信に基づき、マウス３０２によるクリック（第２指定操作）を通じて指定された第１アイコンを認識する。その上で、第２補助処理ユニット１３２は、この第１アイコンにより表されているコンテンツを当該情報処理端末３００のディスプレー３０１に表示させる。
【００５３】
検索サーバ２１０は、コンテンツ辞書作成ユニット２１１と、コンテンツ検索ユニット２１２と、リスト表示処理ユニット２１３と、コンテンツ表示処理ユニット２１４とを備えている。
【００５４】
コンテンツ辞書作成ユニット２１１は、ウェブサーバ２２０との通信に基づき、コンテンツ辞書を作成する。
【００５５】
コンテンツ検索ユニット２１２は、ユーザによりその情報処理端末３００のキーボード３０３等の操作を通じて入力された「キーワード」に応じたコンテンツを、コンテンツ辞書作成ユニット２１１に問合せ、その回答を取得する。
【００５６】
リスト表示処理ユニット２１３は、コンテンツ辞書作成ユニット２１１による回答を、コンテンツ検索ユニット２１２から取得した上で、コンテンツのリスト（検索結果ページ）として情報処理端末３００のディスプレー３０１に表示させる。
【００５７】
コンテンツ表示処理ユニット２１４は、リストに掲載されたコンテンツのうち、ユーザによるマウス３０２の操作によりクリックされたコンテンツを情報処理端末３００のディスプレー３０１に表示させる。
【００５８】
情報処理端末３００は、パソコン等により構成され、ディスプレー（画像表示装置）３０１と、マウス３０２と、キーボード３０３とを備えている。
【００５９】
前記構成のコンテンツ管理システムの機能について図２〜図４を用いて説明する。
【００６０】
まず、検索サーバ２１０においてコンテンツ辞書作成ユニット２１１が「コンテンツ辞書作成処理」を実行する（図２／Ｓ２１１）。具体的には、コンテンツ辞書作成ユニット２１１が、ウェブサーバ２２０との通信（図２／矢印Ａ１）に基づき、コンテンツ辞書を作成する。
【００６１】
また、情報処理端末３００においてブラウザの起動時にディスプレー３０１に表示されるホームページ（コンテンツ）等の「ウェブ検索欄」にマウス３０２及びキーボード３０３の操作を通じて「キーワード」が入力された上で「検索ボタン」がクリックされることに応じて（図２／矢印Ａ２）、コンテンツ検索ユニット２１２が「コンテンツ検索処理」を実行する（図２／Ｓ２１２）。具体的には、コンテンツ検索ユニット２１２が「キーワード」に応じたコンテンツを、コンテンツ辞書作成ユニット２１１に問合せ、その回答を取得する。
【００６２】
さらに、リスト表示処理ユニット２１３が「リスト表示処理」を実行する（図２／Ｓ２１３）。具体的には、リスト表示処理ユニット２１３が、コンテンツ辞書作成ユニット２１１による回答を、コンテンツ検索ユニット２１２から取得する。この上で、リスト表示処理ユニット２１３が、当該回答に応じたコンテンツのリスト（検索結果ページ）を情報処理端末３００に送信し（図２／矢印Ａ３）、そのディスプレー３０１に表示させる。リストには、図４左側に示すように「１．○○・・  ・・」「２．●●・・  ・・」等、コンテンツの「名称（下線付き）」及び「概要」が順に掲載される。
【００６３】
また、コンテンツ表示処理ユニット２１４が「コンテンツ表示処理」を実行する（図２／Ｓ２１４）。具体的には、コンテンツ表示処理ユニット２１４が、リストに掲載されたコンテンツのうち、ユーザによるマウス３０２の操作によりクリックされたコンテンツを情報処理端末３００に送信し（図２／矢印Ａ４）、そのディスプレー３０１に表示させる。
【００６４】
一方、サーバ１００において第１処理ユニット１１１が「第１処理」を実行する（図２／Ｓ１１１）。具体的には、第１処理ユニット１１１が検索サーバ（第１システム）２１０のコンテンツ辞書作成ユニット２１１との通信（図２／矢印Ａ１１）に基づき、当該情報処理端末３００のディスプレー３０１に表示されるリストにおけるコンテンツの「掲載有無」及び「掲載順位」を「掲載状態」として認識する。
【００６５】
また、第２処理ユニット１１２が「第２処理」を実行する（図２／Ｓ１１２）。具体的には、第２処理ユニット１１２がウェブサーバ２２０からサーバ１００に送信される「コンテンツ情報」に基づき（図２／矢印Ａ１２）、コンテンツの「リンク状態」を認識する。「コンテンツ情報」はＨＴＭＬにより記述されており、コンテンツのインターネット上の存在場所（ＵＲＬ）や、コンテンツにリンクされている他のコンテンツ等の情報を含んでいる。
【００６６】
さらに第３処理ユニット１１３が「第３処理」を実行する（図２／Ｓ１１３）。具体的には、第３処理ユニット１１３がウェブサーバ２２０からサーバ１００に送信されるコンテンツ情報に基づき（図２／矢印Ａ１３）、「コンテンツがどのディレクトリに存在しているか」ということと、「コンテンツがディレクトリの代表コンテンツであるか否か」ということ等を認識する。また、第３処理ユニット１１３が、コンテンツ情報に基づき、一定の規則に従って、コンテンツの「階位」を認識する。
【００６７】
この「規則」は、上位ディレクトリ内のコンテンツの階位が、この上位ディレクトリに従属する下位ディレクトリ内のコンテンツの階位よりも上位であり、且つ、ディレクトリの代表コンテンツの階位が、このディレクトリ内の他のコンテンツの階位より上位であるという規則である。
【００６８】
この規則の理解のため、図３（ａ）に示すように、最上位コンテンツ（トップページ）であるコンテンツＡ(URL:http://xx/index.html)と、コンテンツＢ(URL:http://xx/1.html)と、コンテンツＣ(URL:http://xx/2.html)とが同一のディレクトリに存在する場合の各コンテンツの階位を考える。ＵＲＬが「index.html」で記述されているコンテンツＡが当該ディレクトリの「代表コンテンツ」となる。
【００６９】
この場合、コンテンツＢ及びＣは、コンテンツＡと同一のディレクトリに存在しながら、非代表コンテンツ（ＵＲＬが「index.html」で記述されていないコンテンツ）なので、コンテンツＡよりも「１位」だけ下位となる。従って、最上位コンテンツであるコンテンツＡが第１位であり、コンテンツＢ及びＣは第２位となる。
【００７０】
また、図３（ｂ）に示すように、最上位コンテンツであるコンテンツＡ(URL:http://xx/index.html)が上位ディレクトリに存在し、コンテンツＢ’(URL:http://xx/yy/index.html)と、コンテンツＣ(URL:http://xx/2.html)とがともに１位だけ下位のディレクトリに存在する場合の各コンテンツの階位を考える。URLが「index.html」で記述されているコンテンツＡ及びＢがそれぞれ上位及び下位ディレクトリの「代表コンテンツ」となる。
【００７１】
この場合、コンテンツＢ’及びＣは、ともにコンテンツＡよりも１位だけ下位のディレクトリに存在するので、コンテンツＡよりも「１位」だけ下位となる。また、下位ディレクトリにおいて、コンテンツＢ’が代表コンテンツである一方、コンテンツＣは非代表コンテンツなので、コンテンツＣはコンテンツＢ’よりも「１位」だけ下位となる。従って、最上位コンテンツであるコンテンツＡが第１位であり、コンテンツＢ’は第２位、コンテンツＣが第３位となる。
【００７２】
また、第４処理ユニット１１４が「第４処理」を実行する（図２／Ｓ１１４）。具体的には、第４処理ユニット１１４が検索サーバ２１０との通信（図２／矢印Ａ１４）に基づき、情報処理端末３００のディスプレー３０１におけるコンテンツの表示の有無を認識する。
【００７３】
第１処理ユニット１１１、第２処理ユニット１１２、第３処理ユニット１１３及び第４処理ユニット１１４によりそれぞれ認識された事項に基づき「画像制御処理」が実行される（図２／Ｓ１２０）。
【００７４】
詳細には、第１画像制御ユニット１２１が「第１画像制御処理」を実行する（図２／Ｓ１２１）。具体的には、第１画像制御ユニット１２１が、情報処理端末３００に対して「第１画像制御信号」を送信する（図２／矢印Ａ２１）。これにより、第１処理ユニット１１１により認識されたリストにおけるコンテンツの掲載状態がこのコンテンツを表す第１アイコンの表示形態に反映された画像が当該情報処理端末３００のディスプレー３０１に表示される。
【００７５】
また、第２画像制御ユニット１２２が「第２画像制御処理」を実行する（図２／Ｓ１２２）。具体的には、第２画像制御ユニット１２２が、情報処理端末３００に対して「第２画像制御信号」を送信する（図２／矢印Ａ２２）。これにより、第２処理ユニット１１２により認識されたコンテンツのリンク状態がこのコンテンツを表す第１アイコン及びそのリンクを表す第２アイコンのうち一方又は両方の表示形態に反映されている画像が当該情報処理端末３００のディスプレー３０１に表示される。
【００７６】
さらに、第３画像制御ユニット１２３が「第３画像制御処理」を実行する（図２／Ｓ１２３）。具体的には、第３画像制御ユニット１２３が、情報処理端末３００に対して「第３画像制御信号」を送信する（図２／矢印Ａ２３）。これにより、第３処理ユニット１１３により認識されたコンテンツの階位がこのコンテンツを表す第１アイコンの仮想空間における位置に反映されている画像が当該情報処理端末３００のディスプレー３０１に表示される。また、第３処理ユニット１１３により認識された代表コンテンツであることがこの代表コンテンツを表す第１アイコン及びこれに対応付けられている第２アイコンのうち一方又は両方の表示形態に反映された画像がディスプレー３０１に表示される。
【００７７】
また、第４画像制御ユニット１２４が「第４処理」を実行する（図２／Ｓ１２４）。具体的には、第４画像制御ユニット１２４が、情報処理端末３００に対して「第４画像制御信号」を送信する（図２／矢印Ａ２４）。これにより、第４処理ユニット１１４により認識されたコンテンツの表示の有無がこのコンテンツを表す第１アイコンの表示形態に反映されている画像が当該情報処理端末３００のディスプレー３０１に表示される。
【００７８】
詳細には、第１、第２、第３及び第４画像制御信号（図２／矢印Ａ５〜Ａ８参照）を受信した情報処理端末３００のディスプレー３０１に、図４に示されているような画像が表示される。
【００７９】
図４に示す画像において、各コンテンツは球状の第１アイコンＱ，Ｑ１，・・により表されている。
【００８０】
また、コンテンツのリストへの掲載の有無が、このコンテンツを表す第１アイコンに付される色彩により表されている。具体的には、第１アイコンＱ４，Ｑ６，Ｑ２２，Ｑ４２，Ｑ４２１〜Ｑ４２３，Ｑ４２７に「赤色（図中斜線）」が付されることで、これら第１アイコンにより表されるコンテンツが画面左側のリストに掲載されているコンテンツであることが表されている。また、コンテンツのリストへの掲載順位は、このコンテンツを表す第１アイコンに付された数字により表されている。具体的には、第１アイコンＱ４に数字「４」が付されることで、第１アイコンＱ４により表されているコンテンツのリスト掲載順位が第４位であることが表されている。
【００８１】
各コンテンツの「階位」は、第１アイコンＱ，Ｑ１，・・の３次元の仮想空間における「位置」により表されている。具体的には、第１アイコンＱが最上に位置していることで、第１アイコンＱにより表されているコンテンツが第１位コンテンツであることが表されている。また、第１アイコンＱ６の位置が第１位コンテンツを表す第１アイコンＱの位置より１階位分だけ低くされていることで、第１アイコンＱ６により表されているコンテンツが第２位コンテンツであることが表されている。さらに、第１アイコンＱ１〜Ｑ５の位置が第１位コンテンツを表す第１アイコンＱの位置より２階位分だけ低くされていることで、これら第１アイコンにより表されているコンテンツがそれぞれ第３位コンテンツであることが表されている。また、第１アイコンＱ１１〜Ｑ１３，Ｑ２１〜Ｑ２３，Ｑ４１〜Ｑ４２，Ｑ５１〜Ｑ５４の位置が、第３位コンテンツを表す第１アイコンＱ１〜Ｑ５の位置より１階位分だけ低くされていることで、これら第１アイコンにより表されているコンテンツが第４位コンテンツであることが表されている。さらに、第１アイコンＱ４２１〜Ｑ４２７の位置が、第４位コンテンツを表す第１アイコンＱ４２の位置より１階位分だけ低くされていることで、これら第１アイコンにより表されているコンテンツが第５位コンテンツであることが表されている。
【００８２】
ディレクトリの「代表コンテンツ」及び「非代表コンテンツ」であることは、当該コンテンツを表す第１アイコンの色彩により表されている。具体的には、第１アイコンＱ，Ｑ１〜Ｑ５に「青色（図中黒色）」が付されることで、これら第１アイコンにより表されているコンテンツがそれぞれ「代表コンテンツ」であることが表されている。その一方、第１アイコンＱ１１〜Ｑ１３，Ｑ２１〜Ｑ２３，Ｑ４１，Ｑ４２，Ｑ５１〜Ｑ５４，Ｑ４２４〜Ｑ４２６に「白色」が付されることで、これら第１アイコンにより表されているコンテンツがそれぞれ「非代表コンテンツ」であることが表されている。第１アイコンＱ４には赤色及び青色が同時に付される等、１の第１アイコンに対して同時に複数の色彩が付され得る。
【００８３】
コンテンツ間の「リンク状態」は、第１アイコンを結ぶ棒状の第２アイコンの表示形態により表されている。具体的には、コンテンツの「リンクの有無」は、当該コンテンツを表す第１アイコンを結ぶ（水色の）棒状の第２アイコンの有無により表されている。第１アイコンＱ及びＱ１を連結する棒状の第２アイコンＰ１が表示されていることにより、第１アイコンＱ及びＱ１によりそれぞれ表されているコンテンツがリンクされていることが表されている。一方、第１アイコンＱ及びＱ６を連結する第２アイコンが表示されていないことにより、第１アイコンＱ及びＱ６により表されるコンテンツがリンクされていないことが表されている。
【００８４】
コンテンツ間のリンクがフレーム（＝一のコンテンツが閲覧されるときに同時に他のコンテンツ（フレームページ等）も閲覧されるというリンク）であることが、当該コンテンツを表す第１アイコンを結ぶ棒状の第２アイコンの色彩により表現されている。具体的には、第１アイコンＱ１及び第１アイコンＱ１２を結ぶ棒状の第２アイコンＰ４に「緑色」が付されることで、第１アイコンＱ１及びＱ１２により表されているコンテンツ間のリンクがフレームであることが表現されている。
【００８５】
コンテンツがディスプレー３０１に表示されているか否かは、このコンテンツの点滅により表されている。具体的には、第１アイコンＱ８が点滅表示されることで、ディスプレー３０１に表示されているコンテンツが第１アイコンＱ８に対応していることが表されている。
【００８６】
ディスプレー３０１には、第１アイコンにより表されているコンテンツのタイトルが表示される。例えば、第１アイコンＱ４，Ｑ６により表されているコンテンツのタイトル「○○・・」「●●・・」が、第１アイコンＱ４，Ｑ６の右側に表示されている。
【００８７】
その後、ユーザによりマウス３０２等の操作に応じて「補助処理」が実行される（図２／Ｓ１３０）。
【００８８】
詳細には、マウスポインタ（図示略）がディスプレー３０１に表示されている赤色の第１アイコンに位置合わせされたこと（第１指定操作）に応じて（図２／矢印Ａ３０１）、第１補助処理ユニット１３１が「第１補助処理」を実行する（図２／Ｓ１３１）。具体的には、第１補助処理ユニット１３１が、情報処理端末３００に対して「第１補助信号」を送信する（図２／矢印Ａ３１）。これにより、当該情報処理端末３００のディスプレー３０１に表示されているリストにおいて、ユーザにより指定された第１アイコンにより表されるコンテンツの名称及び概要が、他のコンテンツの名称及び概要とは相違する色彩等により、視覚的に識別可能に表示される。
【００８９】
また、第１アイコンのいずれかがクリックされたこと（第２指定操作）に応じて（図２／矢印Ａ３０２）、第２補助処理ユニット１３２が「第２補助処理」を実行する（図２／Ｓ１３２）。具体的には、第２補助処理ユニット１３２が、情報処理端末３００に対して「第２補助信号」を送信する（図２／矢印Ａ３２）。これにより、その第１アイコンにより表されるコンテンツが当該情報処理端末３００のディスプレー３０１に表示される。
【００９０】
前記機能を発揮する本発明のコンテンツ管理システムによれば、ユーザは、その情報処理端末３００のディスプレー３０１の表示画像（図４参照）を通じて、各コンテンツのリストへの掲載状態、リンク状態等を容易に認識することができる。これにより、ユーザは、コンテンツのリストへの「掲載状態」や「リンク状態」等を考慮に入れながらコンテンツに順次アクセスすることで、情報を体系的に入手することができる。従って、ユーザによるコンテンツからの情報収集の効率向上を図ることができる。
【００９１】
具体的には、ユーザは、赤色（図４斜線）が付されている第１アイコンＱ４，Ｑ４２，Ｑ４２１，Ｑ４２２が（水色の）棒状の第２アイコンで連結されていることから、これら第１アイコンにより表されているコンテンツが、キーワードに応じて検索されたものであり、且つ、リンクされていることを把握することができる。リンクされているコンテンツは政治、経済、文化等の共通分野に関するものである等、コンテンツのリンク状態及び情報には一定の関係が認められる可能性が高い。従って、ユーザは、第１アイコンＱ４，Ｑ４２，Ｑ４２１，Ｑ４２２により表されているコンテンツに順次アクセスすることで、キーワードに応じた体系的な情報を効率よく取得することができるものと期待される。その一方、ユーザが第１アイコンＱ４により表されているコンテンツにアクセスしたとき、コンテンツの情報価値が低いと判断した場合、これにリンクする第１アイコンＱ４２，Ｑ４２１等により表されるコンテンツへのアクセスを省略することで、果実の少ないアクセスを回避することができる。
【００９２】
また、ユーザは、赤色（図４縦線）が付されている第１アイコンＱ６が他の第１アイコンと第２アイコンにより連結されておらず、孤立していることを把握することができる。従って、ユーザは、第１アイコンＱ６により表されているコンテンツにアクセスすることで、第１アイコンＱ４，Ｑ４２等により表されているコンテンツとは傾向の異なる情報を入手し、収集情報の幅を広げることができるものと期待される。
【００９３】
さらに、ユーザは、赤色（図４斜線）が付されている第１アイコンＱ４，Ｑ４２，Ｑ４２１が（水色の）棒状の第２アイコンで連結されるとともに、位置が１階位分ずつ低くされていることから、これら第１アイコンにより表されているコンテンツが、キーワードに応じて検索されたものであり、順次リンクされており、且つ、階位が１つずつ相違することを把握することができる。下位コンテンツからの情報は上位コンテンツからの情報よりも詳細であるとか、同位コンテンツからの情報はバリエーションとして同等である等、コンテンツの階位及び情報には一定の関係が認められる可能性が高い。従って、ユーザは、コンテンツの「階位」も考慮に入れた上で、第１アイコンＱ４，Ｑ４２，Ｑ４２１によりそれぞれ表されているコンテンツに順次アクセスすることで、情報を体系的に入手することができるものと期待される。
【００９４】
また、ユーザは、青色が付されている第１アイコンＱ２等が代表コンテンツを表しており、白色が付されている第１アイコンＱ２１等が非代表コンテンツであることを把握することができる。代表コンテンツから非代表コンテンツにアクセスすることで、代表コンテンツからの情報はバリエーションとして同等である等、代表コンテンツ及び非代表の別及び情報には一定の関係が認められる可能性が高い。従って、ユーザは、青色が付されている第１アイコンＱ４により表されている代表コンテンツ及び白色が付されている第１アイコンＱ４２に順次アクセスすることで、情報を体系的に入手することができるものと期待される。
【００９５】
また、ユーザは、情報処理端末（第１指定用手段）３００のマウス３０２を通じて、ディスプレー３０１の画面上でマウスポインタを第１アイコンに位置合わせすること（＝第１指定操作）により、リストに掲載されているコンテンツのうち、この第１アイコンに対応するコンテンツがどれであるかを把握することができる（図２／Ｓ１３０参照）。
【００９６】
さらに、ユーザは、情報処理端末（第２指定用手段）３００のマウス３０２を通じて、ディスプレー３０１の画面上で第１アイコンをクリックすること（第２指定操作）により、この第１アイコンに対応するコンテンツをディスプレー３０１に表示させることができる（図２／Ｓ１３０参照）。
【００９７】
なお、前記実施形態ではサーバ１００と、検索サーバ２１０と、ウェブサーバ２２０と、情報処理端末３００とは別個のものであったが、他の実施形態としてサーバ１００と、検索サーバ２１０、ウェブサーバ２２０及び情報処理端末３００のうち一部又は全部とが共通の検索サーバにより構成されてもよい。また、検索サーバ２１０、ウェブサーバ２２０及び情報処理端末３００のうち２つ又は全部が共通のサーバ等により構成されていてもよい。
【００９８】
前記実施形態ではディレクトリの階位と、代表コンテンツ及び非代表コンテンツの別とに基づきコンテンツの階位が認識されたが（図２／Ｓ１１３、図３参照）、他の実施形態としてディレクトリの階位のみによってコンテンツの階位が決定（認識）されてもよい。この場合、ディレクトリの構造が第１アイコンの色彩等により表現されてもよい。また、第１位コンテンツ（トップページ）からのアクセス数等、種々の基準によってコンテンツの階位が認識されてもよい。
【００９９】
前記実施形態では検索システムにより検索されたコンテンツのリストと、コンテンツのリンク状態等を表す画像とが共通のウィンドウ内に表示されているが（図４参照）、他の実施形態としてリスト及び当該画像がそれぞれ別個のウィンドウに表示されてもよい。
【０１００】
前記実施形態ではコンテンツのリストへの掲載状態や、代表コンテンツ及び非代表コンテンツの別が、第１アイコンの色彩や第１アイコンに付される数字により表されていたが（図４参照）、他の実施形態としてコンテンツのリストへの掲載状態や、代表コンテンツ及び非代表コンテンツの別が、コンテンツの第１アイコンの形状、サイズ等、あらゆる表示形態により表されてもよい。
【０１０１】
例えば、リストに掲載されているコンテンツを表す第１アイコンが円錐で表され、リストに掲載されていないコンテンツを表す第１アイコンが直方体であらわされてもよい。また、代表コンテンツを表す第１アイコンのサイズが共通ディレクトリの非代表コンテンツを表す第１アイコンのサイズより大きくされてもよい。
【０１０２】
前記実施形態ではコンテンツのリンク状態が、第１アイコンを連結する棒状の第２アイコンの有無や色彩により表されているが（図４参照）、他の実施形態としてリンク状態が、第１アイコンの形状、赤色以外の色彩、模様等により表現されてもよく、当該コンテンツのリンクを表す線の形状、色彩、模様等により表現されてもよい。
【０１０３】
本発明の他の実施形態として、コンテンツ管理システムが、ログサーバ（第３システム）の通信に基づき、コンテンツへのアクセス履歴を認識する「第５処理ユニット」と、第５処理ユニットにより認識されたコンテンツへのアクセス履歴を、このコンテンツを表す第１アイコンや、このコンテンツのリンクを表す第２アイコンのサイズ等の表示形態に反映された画像をディスプレー３０１に表示させる「第５画像制御ユニット」とを備えていてもよい。アクセス履歴は、各コンテンツへのアクセス頻度が含まれている。アクセス頻度は、アクセス回数や、１回あたりのアクセス継続平均時間そのもの、或いはアクセス回数が多くなるほど、アクセス継続平均時間が長くなるほど大きく算出されるパラメータによって表される。ログサーバは、ウェブサーバ２２０に対するアクセスログをこのウェブサーバ２２０から取得し、当該アクセスログを蓄積してアクセスログ情報を構築するとともに、当該アクセスログ情報を管理する。
【０１０４】
例えば、第５画像制御ユニットにより、図５に示されているような画像が情報処理端末３００のディスプレー３０１に表示されてもよい。図４に示されている画像と異なり、図５に示されている画像によれば、第１アイコンのサイズの大小により、当該第１アイコンにより表されているコンテンツのアクセス頻度の高低が表されている。また、リンクを通じたアクセス頻度の高低が、棒状の第２アイコンの太さにより表されている。
【０１０５】
これにより、大径の第１アイコンＱ４のアクセス頻度が、小径の第１アイコンＱ２２のアクセス頻度よりも高いこと等をユーザに視覚的に把握させることができる。また、第１アイコンＱ４，Ｑ４２を結ぶ太い第２アイコンにより表されているリンクを経由したアクセス頻度が、第１アイコンＱ２，Ｑ２２を結ぶ細い第２アイコンにより表されているリンクを経由したアクセス頻度よりも高いこと等をユーザに視覚的に把握させることができる。アクセス頻度が高いコンテンツには有用な情報が含まれている等、コンテンツのアクセス履歴及び情報に一定の関係が認められる可能性が高い。このため、ユーザはコンテンツのリンク状態等のほか「アクセス履歴」に基づき、リストに掲載されているコンテンツにそのリンクを経由して順次アクセスすることで、有用な情報を体系的に取得すること等ができる。これにより、コンテンツからの情報収集の効率が著しく向上され得る。
【０１０６】
また、本発明の他の実施形態として、コンテンツ管理システムが、コンテンツの種類を認識する「第６処理ユニット」と、第６処理ユニットにより認識されたコンテンツの種類がこのコンテンツを表す第１アイコンの形状等の表示形態に反映されている画像を情報処理端末３００のディスプレー３０１に表示させる「第６画像制御ユニット」とを備えていてもよい。
【０１０７】
当該他の実施形態によれば、コンテンツを表す第１アイコンの形状等を通じて、当該コンテンツの種類をユーザに視覚的に把握させることができる。例えば、コンテンツの情報種類が「音楽」に関するものであれば、当該コンテンツがバイオリン等の楽器を模した第１アイコン表現されたり、コンテンツの情報種類が「動物」に関するものであれば、当該コンテンツがキリンやライオン等の動物を模した第１アイコンにより表現されてもよい。これにより、有用なコンテンツへのユーザによるアクセスが容易となり、情報収集の効率が向上され得る。
【０１０８】
さらに、本発明の他の実施形態として、コンテンツ管理システムが、情報処理端末（指定用手段）３００のマウス３０２の操作を通じて指定されたコンテンツに対応する第１アイコンの表示形態が、他の第１アイコンの表示形態から識別可能とされた画像をディスプレー３０１に表示させる「補助処理ユニット」を備えていてもよい。
【０１０９】
当該他の実施形態によれば、ユーザは、マウス３０２を通じてリストに掲載されているコンテンツの指定操作を行うことで、このコンテンツに対応する第１アイコンがどれであるかを容易に把握することができる。
【図面の簡単な説明】
【０１１０】
【図１】本発明の一実施形態におけるコンテンツ管理システムの構成説明図
【図２】本発明の一実施形態におけるコンテンツ管理システムの機能説明図
【図３】本発明の一実施形態におけるコンテンツ管理システムの機能説明図
【図４】本発明の一実施形態におけるコンテンツ管理システムの機能説明図
【図５】本発明の一実施形態におけるコンテンツ管理システムの機能説明図
【符号の説明】
【０１１１】
１００‥コンテンツ管理サーバ（コンテンツ管理システム）、１１１‥第１処理ユニット、１１２‥第２処理ユニット、１１３‥第３処理ユニット、１１４‥第４処理ユニット、１２１‥第１画像制御ユニット、１２２‥第２画像制御ユニット、１２３‥第３画像制御ユニット、１２４‥第４画像制御ユニット、１３１‥第１補助処理ユニット、１３２‥第２補助処理ユニット、２１０‥検索サーバ（検索システム（第１システム））、２１１‥コンテンツ辞書作成ユニット、２１２‥コンテンツ検索ユニット、２１３‥リスト表示処理ユニット、２１４‥コンテンツ表示処理ユニット、２２０‥ウェブサーバ（第２システム）、３００‥情報処理端末（第１指定用手段、第２指定用手段）、３０１‥ディスプレー（画像表示装置）、３０２‥マウス、３０３‥キーボード
【図１】
2005293253.tif 000003
【図２】
2005293253.tif 000004
【図３】
2005293253.tif 000005
【図４】
2005293253.tif 000006
【図５】
2005293253.tif 000007